(57)【要約】【課題】耐食性、耐磨耗性、耐衝撃性を向上させることにより、自動車向けＩＰＭ型モータに最適な希土類永久磁石を提供する。【解決手段】希土類永久磁石１６は、Ｒ−Ｆｅ−Ｂ系永久磁石（Ｒは希土類元素）２２の表面に、膜厚が１５μｍ以上３０μｍ以下の柱状結晶状の電気Ｎｉめっき被膜２１を有する。この電気Ｎｉめっき被膜２１は、ビッカース硬度が３００以上６００以下の高硬度領域とビッカース硬度が１５０以上３００以下の低硬度領域とを有する。この希土類永久磁石１６は、自動車用ＩＰＭ型モータのロータヨーク内のスロットに挿入して使用される。【選択図】図３
2010177585.tif 000002
【特許請求の範囲】
【請求項１】
自動車用ＩＰＭ型モータのロータヨーク内のスロットに挿入して使用される希土類永久磁石であって、Ｒ−Ｆｅ−Ｂ系永久磁石（Ｒは希土類元素）の表面に、膜厚が１５μｍ以上３０μｍ以下の電気Ｎｉめっき被膜を単層で有し、前記電気Ｎｉめっき被膜は、ビッカース硬度が３００以上６００以下の高硬度領域とビッカース硬度が１５０以上３００以下の低硬度領域とを有し、前記高硬度領域と前記低硬度領域とが平面的に混在していることを特徴とする希土類永久磁石。
【請求項２】
前記高硬度領域のビッカース硬度が３５０以上６００以下であり、前記低硬度領域のビッカース硬度が１５０以上２５０以下であることを特徴とする請求項１に記載の希土類永久磁石。
【請求項３】
電気Ｎｉめっき被膜が柱状結晶状であることを特徴とする請求項１又は２に記載の希土類永久磁石。
【発明の詳細な説明】
【技術分野】
【０００１】
本発明は、自動車用ＩＰＭ型モータのロータヨーク内のスロットに挿入して使用される希土類永久磁石に関する。
【背景技術】
【０００２】
希土類永久磁石としては、特にＲ−Ｆｅ−Ｂ系（Ｒは希土類元素を表す）が知られており、高性能な永久磁石として、電気自動車やハイブリッドカーなど特に高性能が要求されるモータに使用されている。ところが、このＲ−Ｆｅ−Ｂ系希土類永久磁石は、主成分として酸化され易い希土類元素と鉄とを含有するために、耐食性が比較的低く、腐食による磁気特性の劣化及びばらつきなどが課題となっている。
【０００３】
また電気自動車やハイブリッドカー向けモータの高性能化に伴い、ＩＰＭ型（Interior Permanent Magnet）モータが主流となっている。ＩＰＭ型モータは、珪素鋼板を積層して作製されたヨーク内に設けられたスロットに磁石が挿入されるロータ構造をとる。ヨークは、珪素鋼板を打ち抜いたものを積層して作製されているため、そのスロット表面には、バリや打ち抜きの刃の痕などの凹凸がある。従って、表面に耐食性被膜が成膜されたＲ−Ｆｅ−Ｂ系永久磁石をスロットに挿入する際、前記凹凸によって被膜が傷つくことがあり、その結果、磁石の耐食性に問題を生じ、磁気特性が劣化し、モータの特性低下が生じるという問題があった。さらに、ＩＰＭ型モータの回転は、６０００ｒｐｍ以上にも達し、回転時にスロット内の磁石には、磁石の大きな磁気的吸引力に加えて、大きな遠心力が作用する。
【０００４】
そのため、磁石はスロット内で径方向に移動し、磁石とヨークとの衝突が生じるので、被膜が傷ついたり磨耗したり、被膜に割れ欠けを生じたりする問題もあった。
【０００５】
以上から、自動車用ＩＰＭ型モータ用のＲ−Ｆｅ−Ｂ系永久磁石の表面処理方法には、耐食性（容易に腐食しないこと）に加え、耐摩耗性（容易に磨耗しないこと）と耐衝撃性（容易に割れ欠けを生じないこと）が求められる。
【０００６】
このような希土類永久磁石の耐食性、耐磨耗性、耐衝撃性の改善を目的として、耐酸化性の金属などよりなる保護膜を表面に形成することが提案されている。例えば、特許文献１には、耐食性向上と耐摩耗性確保の目的で、硬度の低い無光沢Ｎｉ被膜と硬度の高い光沢Ｎｉ被膜の組み合わせの積層被膜が開示されている。また、特許文献２には、鉄系焼結材料の表面に、ビッカース硬度が６９０〜８２０程度のＮｉ−Ｐ被膜を成膜し、鉄系焼結材の耐磨耗性を向上させることが開示されている。
【先行技術文献】
【特許文献】
【０００７】
【特許文献１】特開平９−７８１０号公報
【特許文献２】特開２００３−９７４２９号公報
【発明の概要】
【発明が解決しようとする課題】
【０００８】
しかしながら、特許文献１及び２に記載された希土類永久磁石は、耐食性、耐磨耗性、耐衝撃性のすべてを同時に満たすことができるものではなく、そのような要求を満足する希土類永久磁石が求められている。
【０００９】
したがって、本発明の目的は、耐食性、耐磨耗性、耐衝撃性を向上させることにより、自動車向けＩＰＭ型モータに最適な希土類永久磁石を提供することにある。
【課題を解決するための手段】
【００１０】
上記課題を解決するため、本発明による希土類永久磁石は、自動車用ＩＰＭ型モータのロータヨーク内のスロットに挿入して使用されるものであって、Ｒ−Ｆｅ−Ｂ系永久磁石（Ｒは希土類元素）の表面に、膜厚が１５μｍ以上３０μｍ以下の電気Ｎｉめっき被膜を単層で有し、前記電気Ｎｉめっき被膜は、ビッカース硬度が３００以上６００以下の高硬度領域とビッカース硬度が１５０以上３００以下の低硬度領域とを有し、高硬度領域と低硬度領域とが平面的に混在していることを特徴とする。
【００１１】
本発明においては、前記高硬度領域のビッカース硬度が３５０以上６００以下であり、前記低硬度領域のビッカース硬度が１５０以上２５０以下であることが好ましい。この構造によれば、衝撃緩衝材としての機能と、硬度が高く摺動性に優れた耐磨耗材としての機能を併せもった高性能な被膜を実現することができる。
【００１２】
本発明において、電気Ｎｉめっき被膜は柱状結晶状であることが好ましい。この結晶構造によれば、粒径が粗い磁石素体の粒界部分を確実に覆うことができ、ピンホールを確実に埋めることができる。
【発明の効果】
【００１３】
このように、本発明によれば、衝撃緩衝材としての機能と、硬度が高く摺動性に優れた耐磨耗材としての機能を併せもった電気Ｎｉめっき被膜が希土類永久磁石の表面に成膜されるので、自動車用ＩＰＭ型モータのロータヨーク内のスロットに挿入して使用しても、被膜が傷ついたり磨耗して磁石素地が露出すること、また、被膜に割れ欠けを生じたりすることを抑制し、磁石に優れた耐食性、耐摩耗性及び耐衝撃性を付与できる。
【図面の簡単な説明】
【００１４】
【図１】本発明による希土類永久磁石が使用されるＩＰＭ型モータの構成の一例を示す分解斜視図である。
【図２】ＩＰＭ型モータの要部を示す正面図である。
【図３】本発明の好ましい実施形態による希土類永久磁石１６の構造を示す略断面図である。
【図４】保護膜断面のビッカース硬度分布を示す図である。
【発明を実施するための形態】
【００１５】
以下、添付図面を参照しながら、本発明の好ましい実施の形態について詳細に説明する。
【００１６】
図１は、本発明による希土類永久磁石が使用されるＩＰＭ型モータの構成の一例を示す分解斜視図である。また、図２は、ＩＰＭ型モータの要部を示す正面図である。
【００１７】
図１に示すように、ＩＰＭ型モータ１０は、ステータ１２と、ステータ１２の内側に配置されるロータ１４とを有しており、ロータ１４は、ヨーク１４ａとヨーク１４ａ内に配置される希土類永久磁石１６とを備えている。
【００１８】
ステータ１２の内周には複数のステータ磁極１２ａがステータ１２の中心に向けて突設される。ステータ磁極１２ａのそれぞれには、コイル（図示せず）が嵌装される。ステータ１２の外周側には突起１２ｂが突設され、そこに穿設された孔にボルト（図示せず）を挿通してハウジング（図示せず）に固定される。
【００１９】
ロータ１４のヨーク１４ａはケイ素鋼板を多数枚、積層されてなる。ロータ１４には、複数のロータ磁極１４ｂが、前記ステータ磁極１２ａに対向するように突設される。ロータ磁極１４ｂのそれぞれには磁石挿入スロット１４ｃが穿設されており、スロット１４ｃ内におけるロータ径方向内側に希土類永久磁石１６が配置されている。
【００２０】
本実施形態によるＩＰＭ型モータ１０は全体として薄型のインナーロータ型のブラシレスモータとして構成され、ロータ１４の中心側の取り付け面１８のボルト締結部１８ａ（図２に示す）が車両のエンジンのクランクシャフト（図示せず）の一端にボルト締結されると共に、ロータ１４の外周側の取り付け面２０のボルト締結部２０ａ（図２に示す）が変速機（図示せず）にボルト締結され、ハイブリッド車両の駆動源の一つとして使用される。
【００２１】
図３は、本発明の好ましい実施形態による希土類永久磁石１６の構造を示す略断面図である。
【００２２】
図３に示すように、希土類永久磁石１６は略プレート状に形成されており、その略全面には保護膜２１が施されている。保護膜２１は、単層の金属めっき被膜により構成されている。金属めっき被膜は多結晶構造であり、柱状結晶状であることが好ましい。柱状結晶状の金属めっき被膜によれば、高い耐食性を得ることができるからである。
【００２３】
柱状結晶は放射状に成長していることが好ましい。このような構造であれば、結晶粒界が比較的複雑に入り組むので、外部からの浸食物質が粒界において拡散することを抑制することができる。柱状結晶の大きさは、長径方向の平均粒径が２μｍ以上、短径方向の平均粒径が１μｍ以下であることが好ましい。磁石素体２２のような粉末冶金の焼結合金は粒径が粗いため、被膜によってはその磁石素体２２の粒界部分を覆いきれない（ピンホールを埋めきれない）場合がある。しかし柱状結晶状の被膜は隙間を生じさせないように電析成長するため、ピンホールを埋めることに適している。
【００２４】
なお、保護膜２１の膜厚は、１５〜３０μｍであることが好ましい。１５μｍ未満の場合には、ピンホールを埋めきれずに十分な耐食性が得られない可能性があるからである。また３０μｍを超える場合には、寸法精度への影響が大きくなり、かつ有効な磁気特性が得られない可能性があり、コストや成膜時間の増加を伴うからである。
【００２５】
また保護膜２１は、同一膜内の平面方向にビッカース硬度が３００以上６００以下の高硬度領域をもつことが好ましく、３５０以上６００以下の領域をもつことがより好ましい。硬度の高い領域により保護膜全体で高い耐磨耗性を得ることができるからである。なおビッカース硬度が６００以上では、保護膜全体の硬度が高くなり、保護膜２１が割れたり剥離し易くなったりすることで耐衝撃性が低下してしまう。
【００２６】
さらに保護膜２１は、同一膜内の平面方向にビッカース硬度が１５０以上３００以下の低硬度領域をもつことが好ましく、１５０以上２５０以下の領域をもつことがより好ましい。硬度が低い領域の柔軟性により、衝撃を緩和し高い耐衝撃性を得ることができるからである。なおビッカース硬度が１５０以下では、保護膜２１が柔らかすぎて、衝撃による変形が大きくなり、保護膜の磨耗量及び磨耗速度が増大してしまう。
【００２７】
保護膜２１を構成する材料としてはニッケルが好ましい。ニッケルによれば、高い耐食性と耐磨耗性、耐衝撃性を得ることができるからである。
【００２８】
保護膜２１は電気めっきにより形成することが好ましい。めっき浴は形成したいめっき膜に応じて選択すればよいが、その際、めっき浴の種類やめっき時の電流密度を調節することにより、保護膜２１の平均結晶粒径及び結晶の形状を制御することができる。例えば、過電圧を加えて電流密度を０．３Ａ／ｄｍ２以上１０Ａ／ｄｍ２以下とし、かつ適切な光沢剤を添加することにより保護膜２１を微結晶化することができる。また例えば、電流密度を０．０１Ａ／ｄｍ２以上０．３Ａ／ｄｍ２以下とし、かつ適切な光沢剤を添加することにより保護膜２１を柱状結晶状とすることができる。
【００２９】
めっき用の光沢剤としては、例えば、必要に応じて半光沢添加剤又は光沢添加剤を用いることが可能である。この半光沢添加剤としては、例えば、ブチンジオール、クマリン、プロパギルアルコール又はホルマリンなどの硫黄を含まない有機物などが挙げられる。また、光沢添加剤のうち、一次光沢剤としては、例えば、サッカリン、１，５−ナフタリンジスルホン酸ナトリウム、１，３，６−ナフタレントリスルホン酸ナトリウム、パラトルエンスルホンアミドなどが挙げられ、二次光沢剤としては、例えば、クマリン、２−ブチン−１，４−ジオール、エチレンシアンヒドリン、プロパギルアルコール、ホルムアルデヒド、チオ尿素、キノリン又はピリジンなどが挙げられる。
【００３０】
以上説明したように、本実施形態による希土類永久磁石は、単層の電気Ｎｉめっき被膜が表面に成膜されているので、ＩＰＭ型モータ１０のロータ１４のヨーク１４ａ内のスロットに挿入して使用しても、被膜が傷ついたり磨耗したりして磁石素地が露出すること、また、被膜に割れや欠けが生じることを抑制し、磁石に優れた耐食性、耐摩耗性及び耐衝撃性を付与できる。特に、本発明によれば、同一膜内にビッカース硬度が高い領域（Ｈｖ３００〜６００）と低い領域（Ｈｖ１５０〜３００）が共存することから、衝撃緩衝材としての機能と、硬度が高く摺動性に優れた耐磨耗材としての機能を併せもった高性能な被膜を実現することができる。さらに、本発明によれば、Ｎｉめっき被膜が柱状結晶状構造であることから、粒径が粗い磁石素体２２の粒界部分を確実に覆うことができ、ピンホールを確実に埋めることができる。
【実施例】
【００３１】
（実施例１）
粉末冶金法によって作成したＮｄ−Ｆｅ−Ｂの焼結体を、アルゴン雰囲気中で６００℃にて２時間の熱処理を施したのち、１５×４０×８（ｍｍ）の大きさに加工し、さらにバレル研磨処理により面取りを行って磁石素体を得た。次いで、この磁石素体を、アルカリ性脱脂液で洗浄した後、硝酸溶液により表面の活性化を行い、水洗した。
【００３２】
続いて、磁石素体の表面に、電気めっきによりニッケルめっき膜よりなる保護膜を膜厚２０μｍ形成した。この時、バレルめっき工法を用い、めっき浴として、硫酸ニッケル・６水和物を２４０ｇ／Ｌ、塩化ニッケル・６水和物を５０ｇ／Ｌ、ホウ酸を３０ｇ／Ｌ、２−ブチン−１，４−ジオールを０．５ｇ／Ｌ、ｐＨを４．５に調整した。また液温５０℃、平均電流密度を０．３Ａ／ｄｍ２で一定になるように調整した。これにより実施例１の希土類永久磁石（サンプル１）を得た。
【００３３】
（比較例１）
以下の手順を除き、実施例１と同様の手順を経ることにより比較例１の希土類永久磁石を得た。すなわち、電気めっきによりニッケルめっき膜よりなる保護膜を膜厚２０μｍ形成した。この時、バレルめっき工法を用い、めっき浴として、硫酸ニッケル・６水和物を２４０ｇ／Ｌ、塩化ニッケル・６水和物を５０ｇ／Ｌ、ホウ酸を３０ｇ／Ｌ、２−ブチン−１，４−ジオールを０．５ｇ／Ｌ、サッカリンを１ｇ／Ｌ、ｐＨを４．５に調整した。また液温５０℃、平均電流密度を１Ａ／ｄｍ２で一定になるように調整した。これにより比較例１の希土類永久磁石（サンプル２）を得た。
【００３４】
（比較例２）
以下の手順を除き、実施例１と同様の手順を経ることにより比較例２の希土類永久磁石を得た。すなわち、電気めっきによりニッケルめっき膜よりなる保護膜を膜厚２０μｍ形成した。この時、バレルめっき工法を用い、めっき浴として、硫酸ニッケル・６水和物を２４０ｇ／Ｌ、塩化ニッケル・６水和物を５０ｇ／Ｌ、ホウ酸を３０ｇ／Ｌ、ｐＨを４．５に調整した。また液温５０℃、平均電流密度を０．１Ａ／ｄｍ2で一定になるように調整した。これにより比較例２の希土類永久磁石（サンプル３）を得た。
【００３５】
表１に、保護膜の断面のビッカース硬度が１５０〜３００の領域と３００〜６００の領域の割合をパーセンテージで示す。かっこ内は、ビッカース硬度Ｈｖの平均値である。なお、ビッカース硬度は、ＩＳＯ１４５７７に準拠し、ナノインデンテーション試験により測定評価した。また図４に、保護膜断面のビッカース硬度分布を示す。図４において図中の上側が磁石の表面側、下側が磁石素地側である。
【００３６】
【表１】
2010177585.tif 000003
【００３７】
（評価１：過酷衝撃疲労試験）
サンプルの表面の任意の２箇所に１×１０−４〜３×１０−４Ｊのエネルギーを１０７〜１０９回与える過酷衝撃疲労試験を行った。その結果、実施例１の希土類永久磁石サンプル１において、Ｎｉめっき保護膜の平均摩耗量は５μｍ、最大磨耗量は１１μｍであった。
【００３８】
比較例１の希土類永久磁石サンプル２において、Ｎｉめっき保護膜の磨耗量は約２〜３μｍ程度であったが、保護膜が割れたり、剥れたりした箇所があり、磁石素体の一部が露出した。
【００３９】
比較例２の希土類永久磁石サンプルはＮｉめっき保護膜が平均９μｍ磨耗し、磁石素体の一部が露出した。
【００４０】
以上の結果から、保護膜の硬度分布を制御することで耐磨耗性ならびに耐衝撃性を著しく向上させることができることを見出した。
【００４１】
（評価２：耐食性試験）
上記サンプル１〜３の全てに対して、５０℃×９５％の恒温恒湿槽内に７２時間放置するという耐食性試験を行ったところ、いずれのサンプルも錆を発生せず、優れた耐食性を有していることが確認された。
【符号の説明】
【００４２】
１０    ＩＰＭ型モータ
１２    ステータ
１２ａ    ステータ磁極
１２ｂ    突起
１４ｃ    スロット
１４    ロータ
１４ａ    ヨーク
１４ｂ    ロータ磁極
１４ｃ    磁石挿入スロット
１６    希土類永久磁石
１８    取り付け面
１８ａ    ボルト締結部
２０    取り付け面
２０ａ    ボルト締結部
２１    保護膜
２２    磁石素体
【図１】
2010177585.tif 000004
【図２】
2010177585.tif 000005
【図３】
2010177585.tif 000006
【図４】
2010177585.tif 000007